【手続補正書】
【提出日】平成27年4月28日(2015.4.28)
【手続補正１】
【補正対象書類名】特許請求の範囲
【補正対象項目名】全文
【補正方法】変更
【補正の内容】
【特許請求の範囲】
【請求項１】
演出に関する各種画像が表示される表示領域と、該表示領域の周縁部から該表示領域の前面にあらわれるように作動する可動体と、該可動体を作動させる駆動手段とを用いて各種演出が制御手段により実行される遊技機であって、
前記可動体は、少なくとも、前記表示領域の前面において開口部を有する枠状部を含むとともに、
前記枠状部には、前記表示領域と反対方向に発光可能となるかたちで前記開口部のまわりに発光部が配置されており、
前記制御手段は、
前記可動体が前記表示領域の前面に位置している状態において、前記枠状部の内側に表示される演出画像の輝度が該枠状部の外側に表示される演出画像の輝度よりも高くなるように前記表示領域に表示される演出画像の表示を制御する演出画像表示制御手段、及び
前記発光部の発光態様を制御する発光制御手段を有し、
前記枠状部の外側に表示される演出画像よりも輝度が高い演出画像を該枠状部の内側に表示することと前記発光部の発光とを行い、前記可動体と前記表示領域とが配置された距離寸法よりも長い距離寸法を有しているような奥行き感をかもしだしうるようにしたものであるとともに、
前記発光制御手段は、
前記可動体が前記表示領域の周縁部にあるときは消灯態様にある前記発光部を、前記可動体が前記表示領域の前面にあらわれてから発光態様となるように制御する手段、及び
前記可動体が前記表示領域の前面にある状態において、発光態様と消灯態様との両方の態様となりうるように前記発光部の発光態様を制御する手段を有する
ことを特徴とする遊技機。
【請求項２】
前記表示領域は液晶表示装置における表示領域である
請求項１に記載の遊技機。
【請求項３】
前記発光部はＬＥＤである
請求項１または２に記載の遊技機。
【手続補正２】
【補正対象書類名】明細書
【補正対象項目名】０００２
【補正方法】変更
【補正の内容】
【０００２】
一般的に、パチンコ機などの遊技機は、抽選（以下「大当り抽選」と称する。）が実行される。
【手続補正３】
【補正対象書類名】明細書
【補正対象項目名】０００３
【補正方法】変更
【補正の内容】
【０００３】
このような遊技機は、この大当り抽選に当選していない場合であっても、通常遊技状態における遊技者の興趣が低下することを防止するため、あたかも大当り抽選に当選したかのような擬似的な演出を実行する。一方、この遊技機は、実際に大当り抽選に当選すると、通常遊技状態から、遊技者にとって有利な特典遊技状態に移行し、遊技者に対して遊技球の払い出しを含め、様々な特典を供与する。以下、これら通常遊技状態及び特典遊技状態を総称して「遊技状態」と総称する。
【手続補正４】
【補正対象書類名】明細書
【補正対象項目名】０００４
【補正方法】削除
【補正の内容】
【手続補正５】
【補正対象書類名】明細書
【補正対象項目名】０００５
【補正方法】削除
【補正の内容】
【手続補正６】
【補正対象書類名】明細書
【補正対象項目名】０００６
【補正方法】削除
【補正の内容】
【手続補正７】
【補正対象書類名】明細書
【補正対象項目名】０００８
【補正方法】変更
【補正の内容】
【０００８】
しかしながら、従来のパチンコ機では、遊技者の興趣を低下させてしまうとおそれがあった。
【手続補正８】
【補正対象書類名】明細書
【補正対象項目名】０００９
【補正方法】変更
【補正の内容】
【０００９】
そこで、本発明は、興趣の低下を抑制することを目的とする。
【手続補正９】
【補正対象書類名】明細書
【補正対象項目名】００１０
【補正方法】変更
【補正の内容】
【００１０】
請求項１に記載された遊技機は、演出に関する各種画像が表示される表示領域と、該表示領域の周縁部から該表示領域の前面にあらわれるように作動する可動体と、該可動体を作動させる駆動手段とを用いて各種演出が制御手段により実行される遊技機であって、前記可動体は、少なくとも、前記表示領域の前面において開口部を有する枠状部を含むとともに、前記枠状部には、前記表示領域と反対方向に発光可能となるかたちで前記開口部のまわりに発光部が配置されており、前記制御手段は、前記可動体が前記表示領域の前面に位置している状態において、前記枠状部の内側に表示される演出画像の輝度が該枠状部の外側に表示される演出画像の輝度よりも高くなるように前記表示領域に表示される演出画像の表示を制御する演出画像表示制御手段、及び前記発光部の発光態様を制御する発光制御手段を有し、前記枠状部の外側に表示される演出画像よりも輝度が高い演出画像を該枠状部の内側に表示することと前記発光部の発光とを行い、前記可動体と前記表示領域とが配置された距離寸法よりも長い距離寸法を有しているような奥行き感をかもしだしうるようにしたものであるとともに、前記発光制御手段は、前記可動体が前記表示領域の周縁部にあるときは消灯態様にある前記発光部を、前記可動体が前記表示領域の前面にあらわれてから発光態様となるように制御する手段、及び前記可動体が前記表示領域の前面にある状態において、発光態様と消灯態様との両方の態様となりうるように前記発光部の発光態様を制御する手段を有することを特徴とするものである。
請求項２に記載された遊技機は、請求項１において、前記表示領域は液晶表示装置における表示領域であることを特徴とするものである。
請求項３に記載された遊技機は、請求項１または２において、前記発光部はＬＥＤであることを特徴とするものである。
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】削除
【補正の内容】
【手続補正２０】
【補正対象書類名】明細書
【補正対象項目名】００２１
【補正方法】削除
【補正の内容】
【手続補正２１】
【補正対象書類名】明細書
【補正対象項目名】００２２
【補正方法】削除
【補正の内容】
【手続補正２２】
【補正対象書類名】明細書
【補正対象項目名】００２３
【補正方法】削除
【補正の内容】
【手続補正２３】
【補正対象書類名】明細書
【補正対象項目名】００２４
【補正方法】削除
【補正の内容】
【手続補正２４】
【補正対象書類名】明細書
【補正対象項目名】００２５
【補正方法】削除
【補正の内容】
【手続補正２５】
【補正対象書類名】明細書
【補正対象項目名】００２６
【補正方法】削除
【補正の内容】
【手続補正２６】
【補正対象書類名】明細書
【補正対象項目名】００２７
【補正方法】削除
【補正の内容】
【手続補正２７】
【補正対象書類名】明細書
【補正対象項目名】００２８
【補正方法】削除
【補正の内容】
【手続補正２８】
【補正対象書類名】明細書
【補正対象項目名】００２９
【補正方法】削除
【補正の内容】
【手続補正２９】
【補正対象書類名】明細書
【補正対象項目名】００３０
【補正方法】削除
【補正の内容】
【手続補正３０】
【補正対象書類名】明細書
【補正対象項目名】００３１
【補正方法】削除
【補正の内容】
【手続補正３１】
【補正対象書類名】明細書
【補正対象項目名】００３２
【補正方法】変更
【補正の内容】
【００３２】
本発明によれば、興趣の低下を抑制することができる。